(57)【要約】      （修正有）【課題】杭を地中に埋め込んだ場合においても、境界の位置の正確な確定が可能で、杭の盗掘がされにくく、周りの環境にも優しい複合杭を提供する。【解決手段】直方体形のコンクリート杭中に金属や合金棒を挿入した複合杭を住宅地と住宅地の新たに決定した境界の位置に地上の表面から地中へ約１０−１００ｃｍ程度の深さに埋め込みを行う。その後、長期間を経過後隣接土地所有者同士が、確定杭の確認したい事態に遭遇した場合には、金属探知器を操作すれば、金属反応により境界部の位置の確定が可能となる。【選択図】図２
0003119026.tif 000002
【実用新案登録請求の範囲】
【請求項１】
住宅地と住宅地、道路、畑、山林および、又は公共施設用地等それぞれ境界確定するため、コンクリートあるいはプラスチック杭中に金属や合金棒を挿入した複合杭。
【考案の詳細な説明】
【技術分野】
【０００１】  本考案は、住宅地と住宅地、道路、畑、山林、公共施設用地等それぞれ境界確定用杭に使用ためのコンクリートあるいはプラスチック杭に関するもので、本考案の複合杭の使用により、複合杭が地中に埋め込んだ場合においても、境界の位置の正確な確定が可能で、杭の盗掘がされにくく、周りの環境にも優しいのが特長である。
【背景技術】
【０００２】  現在常用している住宅地と住宅地、道路、畑、山林、公共施設用地等それぞれ境界確定用コンクリート杭は、図１の模式図で示すように、上面の一辺が５−２０ｃｍ程度の正方形で中心位置には、プラスの筋状の窪みを入れ（プラスの中心が確定境界位置を示す。）、この面から２０−１００ｃｍ程度の長さの直方体のコンクリートで作製されたコンクリート杭を使用している。そして、これらのコンクリート杭は、プラスの筋状の窪みを入れた面を上面にして土地から数ｃｍ上あるいは、杭の盗掘をさけるため、あるいは周りの環境に配慮した場合には、土地の表面から数１０ｃｍ程度に地中に埋め込んで使用している。【０００３】  ところが、このコンクリート杭は、通常土地の表面に露出した状態で埋め込んであるため、比較的柔らかい土地においては、長い間に地震や水害等の自然災害等が頻繁に多発した場合、杭の位置が変移し、杭が地中深くフゴンで行き、例えば、チューウリップの球根のような場合が想定される。さらに、確定位置の決めるコンクリート杭の存在を認めようとしない心無い人によって杭が、引き抜かれてしまうことがしばしば起こっている。そのような場合には、土地の境界位置を確定することが困難となる事態が発生する。そのため、隣接土地所有者同士の土地の境界部の再確定のため当事者間でのトラブルの原因となる場合が多く、土地の境界位置を容易に円満な問題解決の方策が社会問題化している。【０００４】  この問題の解決の一手法として、土地の境界位置を確定するコンクリート杭を地中に埋め込む方策が採用されている。また、最近では、この確定用コンクリート杭の地中への埋め込み方式は、環境悪化を解消する観点からも重要であり、最近ではこの埋め込み方式を採用する頻度が多くなって来ている。さらに、この確定用コンクリート杭の地中への杭の埋め込み方式の採用は、畑−畑等境界附近の農作業の邪魔になるのを防止できるため有効である。【０００５】  上記の数々の利点があるにもかかわらず、地中にコンクリート杭を埋め込んだ後長い期間が経過し、再度隣接土地所有者同士が、以前に埋め込んだ杭を確認しようとした場合には、以前に地中に埋め込んだコンクリート杭の確定が困難となる場合が多発し、土地の境界確定に関するトラブルの原因となっており早急の解決法が模索されている。【０００６】  本考案は、上記の種々の欠点について鋭意検討を加え、最終的に下記に示す画期的な方法を新たに考案するに至ったものである。
【考案の開示】
【考案課題を解決するための手段】
【０００７】  このような状況下において、上記の条件を満足するための土地の境界位置を確定する杭は、現行のコンクリートあるいはプラスチック杭中に金属や合金棒を挿入した複合杭を使用すると言う従来に無い新たな発想を導入して上記の問題の解決が可能であることを提案するものである。
【０００８】  すなわち、本考案の要旨構成は、次のとおりである。
（１）住宅地と住宅地、道路、畑、山林および、又は公共施設用地等それぞれ境界確定するため、コンクリートあるいはプラスチック杭中に金属や合金棒を挿入した複合杭を使用する事である。
【考案の効果】
【０００９】  本考案のコンクリートあるいはプラスチック杭中に金属や合金棒を挿入した複合杭を使用すれば、杭を地中に埋め込んだ場合においても、境界の位置の正確な確定が可能で、杭の盗掘がされにくく、周りの環境にも優しいのが特長であり、この複合杭の利用効果が大きいのが特長である。
【考案を実施の形態】
【００１０】  以下、本考案の内容を具体的に説明する。
図２の模式図中の（ａ）は、本考案の直方体形のコンクリート杭中に金属や合金棒を挿入した複合杭を示したものである。また、図２の模式図中の（ｂ）は、本考案の円錐形のコンクリート杭中に金属や合金棒を挿入した複合杭を示したものである。この場合は、コンクリート杭を使用しているが、最近廃材利用するプラスチック杭中に金属や合金棒を挿入した複合杭を使用することも可能である。
【００１１】  本考案の図２の模式図中の（ａ）は、直方体形のコンクリート杭中に金属や合金棒（最も安価で、簡便なものとして鉄鋼棒や鋼線が有利に使用できる。）を挿入した複合杭を、住宅地と住宅地の新たに決定した境界の位置に地上の表面から地中へ約１０−１００ｃｍ程度の深さに埋め込みを行う。その後、長期間を経過後隣接土地所有者同士が、確定杭の確認したい事態に遭遇した場合には、図３の斜視図で示すように、金属探知機を操作すれば、金属反応により境界部の位置の確定が可能となる。
【００１２】  このような法式の採用により手軽に、かつ正確に土地の境界位置の確認が可能となる。また、本考案の複合杭を使用すれば曲げ強度が強くなるため、杭の大きさも小さくする事が可能である。また、棒鋼等の金属は、コンクリート杭中に内蔵させるため錆びから解放される利点がある。さらに、プラスチックの使用は、軽いため杭の小型化も可能であり、かつプラスチック廃材の再利用もできるメリットがある。
【００１３】  さらに、本考案のコンクリートあるいはプラスチック杭中に金属や合金棒を挿入した複合杭は、小型化、曲げ強度の向上、地中への埋め込み可能であるため環境対策上も有利である。このため、通常のライフラインの確定杭への使用、すなわち、上・下水道管、ガス管等への適用も可能である。
【実施例】
【００１４】  Ｃ：０．０９  ｍａｓｓ％，Ｓｉ：０．１２  ｍａｓｓ％，Ｍｎ：０．２２ｍａｓｓ％，Ｐ：０．０１９  ｍａｓｓ％，Ｓ：０．０１９  ｍａｓｓ％を含有し、残部はＦｅおよび不可避的不純物の組成になる棒鋼（１０ｍｍφで長さ１５ｃｍ）を図２の（ａ）の模式図で示すようなコンクリート複合杭を作製した。
その後、この複合杭は、住宅地の境界位置の地上から地中へ約２０ｃｍ深さに埋め込みを行った。
さらに、その後、図３に示すような方法で金属探知機を使用して複合杭の位置の確定を行い、土地の境界位置の確認を行ったものである。
【産業上の利用の可能性】
【００１５】  本考案の複合杭を使用すれば、杭を地中に埋め込んだ場合においても、境界の位置の正確な確定が可能で、杭の盗掘がされにくく、周りの環境にも優しいのが特長でありこの複合杭の利用度が大きい。
【図面の簡単な説明】
【００１６】
【図１】  現在使用している確定用コンクリート杭の模式図を示す。
【図２】  本考案の複合杭の模式図を示し、図中の（ａ）は直方体形状、（ｂ）は円錐形状の複合杭を示す斜視図である。
【図３】  本考案に係る長期間を経過後隣接土地所有者が、確定杭の実用状態を示す説明図である。
【図１】
0003119026.tif 000003
【図２】
0003119026.tif 000004
【図３】
0003119026.tif 000005